(57)【要約】【課題】設置用床面に接着させる作業を位置ずれの少ない状態で良好に行うことが可能となる床仕上げ材を提供する。【解決手段】矩形板状又は略矩形板状の床仕上げ材本体４の裏面に、床仕上げ材本体４を設置用床面に接着させるための両面テープ５が、設置用床面側の粘着材部分に離型紙が装着される状態で設けられ、離型紙１２は、前記両面テープの長さ方向の一端部にて下方側に折り返されて両面テープ５の長さ方向の他端部側に延出され、その下方側に折り返された状態において、設置用床面側の粘着材部分に装着される装着部分１２ａと、その装着部分１２ａに対して上下方向に重複する重複部分１２ｂと、その重複部分１２ｂから延出されて床仕上げ材本体４の外方に突出する突出部分１２ｃとを備えて構成されている。【選択図】        図２
2004324339.tif 000002
【特許請求の範囲】
【請求項１】
矩形板状又は略矩形板状の床仕上げ材本体の裏面に、前記床仕上げ材本体を設置用床面に接着させるための両面テープが、前記設置用床面側の粘着材部分に離型紙が装着される状態で設けられ、
前記離型紙は、前記両面テープの長さ方向の一端部にて下方側に折り返されて前記両面テープの長さ方向の他端部側に延出され、その下方側に折り返された状態において、前記設置用床面側の粘着材部分に装着される装着部分と、その装着部分に対して上下方向に重複する重複部分と、その重複部分から延出されて前記床仕上げ材本体の外方に突出する突出部分とを備えて構成されている床仕上げ材。
【請求項２】
前記床仕上げ材本体の周縁部には、あいじゃくり形態で隣接する他の床仕上げ材本体と接合するための雌実部及び雄実部が形成されており、
前記離型紙が、前記突出部分が前記雄実部に対応位置する状態で前記床仕上げ材本体に配設され、
前記突出部分が、前記雄実部に形成の挿通孔を前記床仕上げ材本体の表面側に向けて挿通する形態で、且つ、前記床仕上げ材本体の表面より上方に突出することができる長さに構成されている請求項１記載の床仕上げ材。
【請求項３】
前記床仕上げ材本体の周縁部には、本実形態で隣接する他の床仕上げ材本体と接合するための凸形の突起と凹形の溝とが形成されており、
前記離型紙が、前記突出部分が前記凸形の突起に対応位置する状態で前記床仕上げ材本体に配設され、
前記突出部分が、前記凸形の突起に形成の挿通孔を前記床仕上げ材本体の表面側に向けて挿通する形態で、且つ、前記床仕上げ材本体の表面より上方に突出することができる長さに構成されている請求項１記載の床仕上げ材。
【請求項４】
前記床仕上げ材本体の周縁部が、突合せ形態で隣接する他の床仕上げ材本体と対向させるように平坦面状に形成され、
前記離型紙が、前記突出部分を前記仕上げ材本体の周縁部に沿って前記床仕上げ材本体の表面側に向けて折り曲げることができる形態で前記床仕上げ材本体に配設され、
前記突出部分が、前記仕上げ材本体の周縁部に沿って前記床仕上げ材本体の表面側に向けて折り曲げたときに、前記床仕上げ材本体の表面より上方に突出することができる長さに構成されている請求項１記載の床仕上げ材。
【請求項５】
前記床仕上げ材本体が長方形状に設けられ、
前記両面テープとしての１本の両面テープ又は前記床仕上げ材本体の短辺方向に並ぶ複数の両面テープが、前記床仕上げ材本体の長手方向に沿って延びる状態で前記床仕上げ材本体の裏面に設けられている請求項１〜４のうちのいずれか１項に記載の床仕上げ材。
【請求項６】
請求項１〜５のいずれか１項に記載の床仕上げ材の複数を施工対象箇所の設置用床面に並べて接着させる床仕上げ材の施工方法であって、
前記床仕上げ材本体の裏面に前記両面テープを装着した状態で設置対象箇所の設置用床面に載置して位置決めして、その位置決めした状態を維持しながら、前記離型紙における前記突出部分を前記両面テープにおける長さ方向の他端部から離れる方向へ引張り作用させることにより前記離型紙を前記両面テープから剥して、前記床仕上げ材本体を前記設置用床面に接着させる床仕上げ材の施工方法。
【請求項７】
請求項１〜５のいずれか１項に記載の床仕上げ材の複数を施工対象箇所の設置用床面に並べて接着させる床仕上げ材の施工方法であって、
前記複数の床仕上げ材を、前記設置用床面側の粘着材部分に前記離型紙が装着されている前記両面テープを装着した状態で、且つ、前記床仕上げ材本体における前記離型紙の突出部分を、隣接する床仕上げ材本体との隙間を通して前記床仕上げ材本体の表面側外方に突出させる状態で、前記施工対象箇所の設置用床面に並べて位置決めする位置決め処理を行い、
その位置決め処理にて位置決めした状態を維持しながら、前記離型紙における前記突出部分を前記両面テープにおける長さ方向の他端部から離れる方向へ引張り作用させることにより前記離型紙を前記両面テープから剥して、前記床仕上げ材本体を前記設置用床面に接着させることを、複数の前記床仕上げ材の夫々について順次行って、前記複数の床仕上げ材を前記設置用床面に接着させる接着処理を行うようにした床仕上げ材の施工方法。
【発明の詳細な説明】
【０００１】
【発明の属する技術分野】
本発明は、床仕上げ材及び床仕上げ材の複数を施工の対象箇所の設置用床面に並べて接着させる床仕上げ材の施工方法に関する。
【０００２】
【従来の技術】
前記床仕上げ材は、建物の部屋や廊下等における床下地材あるいはその床下地材の上に設置された床暖房パネルの表面等を設置用床面として、その設置用床面に並べて装着されるものであるが、このような床仕上げ材を設置用床面に装着する場合には、例えば両面テープ等の粘着力を利用して接着させることになる。
そして、従来では、複数の床仕上げ材を設置用床面に並べて装着する場合には、設置用床面に対して床仕上げ材を設置すべき設置位置を確認しておき、両面テープや接着剤等によって床仕上げ材の裏面を設置用床面に対して接着可能な状態にした後に、床仕上げ材を設置位置に合うように位置合わせしながら設置用床面上に載置させてそのまま接着させるようになっていた。そして、このような作業を複数の床仕上げ材の夫々について順次繰り返し行って複数の床仕上げ材を接着するようにしていた（例えば、特許文献１参照。）。
【０００３】
床仕上げ材を両面テープを用いて設置用床面に接着させる場合について、図面を用いて更に説明を加えると、例えば、図１６に示すように、従来の床仕上げ材３は、床仕上げ材本体４０の裏面に両面テープ５０を装着する状態で構成され、両面テープ５０の設置用床面側の粘着材部分には、両面テープ５０の長手方向の長さと同じ長さの離型紙５１が装着される構成となっている。尚、図１６に示す例では３本の両面テープ５０を装着している。そして、設置用床面Ａに対して床仕上げ材３を設置すべき設置位置を確認した後に、前記離型紙５１を引き剥して設置用床面側の粘着材部分が外方に露出する状態にしておき、このように裏面を設置用床面Ａに接着可能な状態にしている床仕上げ材３を、例えば図１７に示すように作業者が目視で位置合わせしながら設置用床面Ａの設置位置に載置してそのまま接着させるのである。
【０００４】
図１７に示す例では、床のうちの一部に床仕上げ材３が装着されない領域Ｂがある場合を示している。この場合には、床仕上げ材３が装着されない領域と施工対象域との間に境界を示す墨出し線Ｌが引かれているので、最初に張り始める床仕上げ材は、裏面を接着可能な状態にしている状態でこの墨出し線Ｌに沿うように位置合わせしながら設置用床面上に載置してそのまま接着させる。尚、既に接着されている床仕上げ材３の横に並べて接着させるときは、その既に接着されている床仕上げ材３の端縁に沿わせるように位置合わせして順次接着させることになる。
【０００５】
両面テープを用いる代わりに接着剤を用いて床仕上げ材を設置用床面に接着させる場合においても、両面テープを用いる場合と同様にして、設置用床面に対して床仕上げ材を設置すべき設置位置を確認した後に、床仕上げ材の裏面に接着剤を塗布して接着剤が外方に露出する状態にしておき、このように裏面を設置用床面に接着可能な状態にしている床仕上げ材を、設置用床面の設置位置に載置してそのまま接着させるのである。
【０００６】
【特許文献１】
特開２００１−２１４６００号公報
【０００７】
【発明が解決しようとする課題】
上記従来構成においては、床仕上げ材の裏面を設置用床面に接着可能な状態にさせるために、床仕上げ材を設置位置に対して位置合わせしながら設置用床面上に載置して接着させる作業を行う前に予め前記離型紙を引き剥しておくことになる。そして、接着させるときには、作業者が手作業によって位置合わせしながら床仕上げ材を設置用床面上に載置させると、両面テープや接着剤の粘着力によってそのままの位置で床仕上げ材と設置用床面とが接着することになる。
【０００８】
ところで、上記したように作業者が手作業で床仕上げ材を設置用床面上に載置させるときに、本来設置すべき設置位置から位置ずれした状態で載置してしまうおそれがある。例えば、図１７に示すように、墨出し線Ｌに沿うように位置合わせしながら設置用床面上に載置した場合、墨出し線Ｌに対して位置ずれＺが発生するおそれがある。
【０００９】
しかしながら、一旦、床仕上げ材を設置用床面上に載置させると、両面テープや接着剤の粘着力によって載置したときの位置で床仕上げ材と設置用床面とが接着してしまうことになり、貼り直しが容易に行えないものとなり、位置ずれしたままで複数の床仕上げ材が接着されるおそれがある。又、作業を開始して最初の床仕上げ材が僅かな位置ずれを起こしているだけであっても、複数の床仕上げ材を順次並べて接着させると、このような位置ずれが徐々に大きくなってしまうおそれがある。
【００１０】
つまり、上記従来構成の床仕上げ材及びその施工方法においては、床仕上げ材を設置用床面に接着させる作業を行うときにおいて、設置位置から位置ずれした状態で床仕上げ材が接着するといった作業ミスを起こす等、作業が良好に行えないおそれが大となる不利がある。
【００１１】
本発明はかかる点に着目してなされたものであり、その目的は、設置用床面に接着させる作業を位置ずれの少ない状態で良好に行うことが可能となる床仕上げ材及び床仕上げ材の施工方法を提供する点にある。
【００１２】
【課題を解決するための手段】
請求項１に記載の床仕上げ材は、矩形板状又は略矩形板状の床仕上げ材本体の裏面に、前記床仕上げ材本体を設置用床面に接着させるための両面テープが、前記設置用床面側の粘着材部分に離型紙が装着される状態で設けられ、前記離型紙は、前記両面テープの長さ方向の一端部にて下方側に折り返されて前記両面テープの長さ方向の他端部側に延出され、その下方側に折り返された状態において、前記設置用床面側の粘着材部分に装着される装着部分と、その装着部分に対して上下方向に重複する重複部分と、その重複部分から延出されて前記床仕上げ材本体の外方に突出する突出部分とを備えて構成されていることを特徴とする。
【００１３】
すなわち、床仕上げ材本体の裏面に床仕上げ材本体を設置用床面に接着させるための両面テープが設けられて、その両面テープの設置用床面側の粘着材部分に離型紙が装着されており、しかも、その離型紙は、前記設置用床面側の粘着材部分に装着される装着部分だけでなく、両面テープの長さ方向の一端部にて下方側に折り返されて両面テープの長さ方向の他端部側に延出されて、その装着部分に対して上下方向に重複する重複部分と、その重複部分から延出されて前記床仕上げ材本体の外方に突出する突出部分とを備えて構成されているので、床仕上げ材本体の裏面側が下側になる状態で設置用床面上に載置させた状態で、離型紙における床仕上げ材本体の外方に突出している前記突出部分を手で持って、両面テープにおける長さ方向の他端部側に引張り作用させることにより、離型紙を両面テープから剥すことができる。
【００１４】
このような床仕上げ材を設置用床面に接着させるときには、床仕上げ材本体を設置用床面に一旦載置しても、このときには、両面テープの設置用床面側の粘着材部分には離型紙が未だ装着されているので、設置位置から位置ずれしていても容易に位置の修正を行うことができ、床仕上げ材本体を本来設置すべき設置位置に適正に位置決めすることができる。そして、そのように設置位置に適正に位置決めされた状態を維持しながら、床仕上げ材本体の外方に突出している前記突出部分を両面テープにおける長さ方向の他端部側に引張り作用させることにより、離型紙を両面テープから剥して、両面テープにおける設置用床面側の粘着材部分を設置用床面の上面に接着させることができるのである。
【００１５】
従って、床仕上げ材本体を設置位置に適正に位置合わせした状態で両面テープによって床仕上げ材本体を設置用床面に接着させることができるので、設置用床面に貼り付ける作業を位置ずれの少ない状態で良好に行うことが可能となる床仕上げ材を提供できるに至った。
【００１６】
請求項２に記載の床仕上げ材は、請求項１において、前記床仕上げ材本体の周縁部には、あいじゃくり形態で隣接する他の床仕上げ材本体と接合するための雌実部及び雄実部が形成されており、前記離型紙が、前記突出部分が前記雄実部に対応位置する状態で前記床仕上げ材本体に配設され、前記突出部分が、前記雄実部に形成の挿通孔を前記床仕上げ材本体の表面側に向けて挿通する形態で、且つ、前記床仕上げ材本体の表面より上方に突出することができる長さに構成されていることを特徴とする。
【００１７】
すなわち、床仕上げ材本体は、あいじゃくり形態で隣接する他の床仕上げ材本体と接合する構成となっており、離型紙は、その突出部分が雄実部に対応位置する状態で床仕上げ材本体に配設されており、しかも、その突出部分が、雄実部に形成の挿通孔を床仕上げ材本体の表面側に向けて挿通する形態で、且つ、床仕上げ材本体の表面より上方に突出することができる長さに構成されているので、床仕上げ材を設置用床面に接着させる際に、床仕上げ材を設置用床面に一旦載置させるような場合に、離型紙の突出部分を前記挿通孔を挿通して床仕上げ材本体の表面側に向けて突出させておくことができる。又、床仕上げ材を、隣接する他の床仕上げ材本体と接合する状態で設置用床面に載置させるような場合においても、離型紙の突出部分を前記挿通孔を挿通して床仕上げ材本体の表面側に向けて突出させておくことができるのである。
【００１８】
又、前記突出部分を床仕上げ材本体の表面側に向けて挿通するための挿通孔を雄実部に形成するようにしたので、この床仕上げ材を並べた状態で設置用床面に装着した状態では、この雄実部はあいじゃくり形態で隣接する他の床仕上げ材本体の雌実部と接合して上下方向に重なり合うので、前記挿通孔は床仕上げ材の上方側外方から見えない状態となる。
【００１９】
従って、離型紙を引き剥すための挿通孔を床仕上げ材の上方側外方から見えない状態で形成して床の美観を損ねるおそれが少ないものにしながら、床仕上げ材を設置用床面に接着させるときに、設置位置に適正に位置決めされた状態を維持しながら床仕上げ材本体の外方に突出している前記突出部分を手で持って容易に引張ることができ、離型紙の引き剥し作業を容易に行えるものとなる。
【００２０】
請求項３記載の床仕上げ材は、請求項１において、前記床仕上げ材本体の周縁部には、本実形態で隣接する他の床仕上げ材本体と接合するための凸形の突起と凹形の溝とが形成されており、前記離型紙が、前記突出部分が前記凸形の突起に対応位置する状態で前記床仕上げ材本体に配設され、前記突出部分が、前記凸形の突起に形成の挿通孔を前記床仕上げ材本体の表面側に向けて挿通する形態で、且つ、前記床仕上げ材本体の表面より上方に突出することができる長さに構成されていることを特徴とする。
【００２１】
すなわち、床仕上げ材本体は本実形態で隣接する他の床仕上げ材本体と接合する構成となっており、離型紙は、その突出部分が凸形の突起に対応位置する状態で床仕上げ材本体に配設されており、しかも、その突出部分が、凸形の突起に形成の挿通孔を床仕上げ材本体の表面側に向けて挿通する形態で、且つ、床仕上げ材本体の表面より上方に突出することができる長さに構成されているので、床仕上げ材を設置用床面に接着させる際に、床仕上げ材を設置用床面に一旦載置させるような場合に、離型紙の突出部分を前記挿通孔を挿通して床仕上げ材本体の表面側に向けて突出させておくことができる。又、床仕上げ材を、隣接する他の床仕上げ材本体と接合する状態で設置用床面に載置させるような場合においても、離型紙の突出部分を前記挿通孔を挿通して床仕上げ材本体の表面側に向けて突出させておくことができるのである。
【００２２】
又、前記突出部分を床仕上げ材本体の表面側に向けて挿通するための挿通孔を凸形の突起に形成するようにしたので、この床仕上げ材を並べた状態で設置用床面に装着した状態では、この凸形の突起は本実形態で隣接する他の床仕上げ材本体の凹部と接合して上下方向に重なり合い挿通孔は床仕上げ材の上方側外方から見えない状態となる。
【００２３】
従って、離型紙を引き剥すための挿通孔を床仕上げ材の上方側外方から見えない状態で形成して床の美観を損ねるおそれが少ないものにしながら、床仕上げ材を設置用床面に接着させるときに、隣接する他の床仕上げ材本体と接合する状態で載置されていても、設置位置に適正に位置決めされた状態を維持しながら床仕上げ材本体の外方に突出している前記突出部分を手で持って容易に引張ることができ、離型紙の引き剥し作業を容易に行えるものとなる。
【００２４】
請求項４記載の床仕上げ材は、請求項１において、前記床仕上げ材本体の周縁部が、突合せ形態で隣接する他の床仕上げ材本体と対向させるように平坦面状に形成され、前記離型紙が、前記突出部分を前記仕上げ材本体の周縁部に沿って前記床仕上げ材本体の表面側に向けて折り曲げることができる形態で前記床仕上げ材本体に配設され、前記突出部分が、前記仕上げ材本体の周縁部に沿って前記床仕上げ材本体の表面側に向けて折り曲げたときに、前記床仕上げ材本体の表面より上方に突出することができる長さに構成されていることを特徴とする。
【００２５】
すなわち、床仕上げ材本体の周縁部が、突合せ形態で隣接する他の床仕上げ材本体と対向させるように平坦面状に形成されており、離型紙は、仕上げ材本体の周縁部に沿って床仕上げ材本体の表面側に向けて折り曲げることができる形態で床仕上げ材本体に配設され、その突出部分が、仕上げ材本体の周縁部に沿って床仕上げ材本体の表面側に向けて折り曲げたときに、床仕上げ材本体の表面より上方に突出することができる長さに構成されているので、床仕上げ材を設置用床面に接着させる際に、床仕上げ材を、隣接する他の床仕上げ材本体と近接して対向する状態で設置用床面に載置させるような場合においても、離型紙の突出部分を前記挿通孔を挿通して床仕上げ材本体の表面側に向けて突出させておくことができる。
【００２６】
従って、床仕上げ材を設置用床面に接着させるときに、設置位置に適正に位置決めされた状態を維持しながら床仕上げ材本体の外方に突出している前記突出部分を手で持って容易に引張ることができ、離型紙の引き剥し作業を容易に行えるものとなる。
【００２７】
請求項５記載の床仕上げ材は、請求項２において、前記床仕上げ材本体が長方形状に設けられ、前記両面テープとしての１本の両面テープ又は前記床仕上げ材本体の短辺方向に並ぶ複数の両面テープが、前記床仕上げ材本体の長手方向に沿って延びる状態で前記床仕上げ材本体の裏面に設けられていることを特徴とする。
【００２８】
すなわち、前記両面テープが床仕上げ材本体の長手方向に沿って延びる状態で床仕上げ材本体の裏面に設けられる。この両面テープとしては、１本の両面テープを用いる場合、又は、床仕上げ材本体の短辺方向に並ぶ複数の両面テープを用いる場合がある。このように、両面テープが床仕上げ材本体の長手方向に沿って延びる状態で床仕上げ材本体の裏面に設けられるから、両面テープを短辺方向に延びる状態で長手方向に多数の両面テープを並べて設けるものに比べて少ない本数の両面テープにて床仕上げ材を設置用床面に接着させることができ、離型紙の引き剥し作業は少ない回数で済ませることができる。
【００２９】
請求項６記載の床仕上げ材の施工方法は、請求項１〜５のいずれか１項に記載の床仕上げ材の複数を施工対象箇所の設置用床面に並べて接着させる方法であって、前記床仕上げ材本体の裏面に前記両面テープを装着した状態で設置対象箇所の設置用床面に載置して位置決めして、その位置決めした状態を維持しながら、前記離型紙における前記突出部分を前記両面テープにおける長さ方向の他端部から離れる方向へ引張り作用させることにより前記離型紙を前記両面テープから剥して、前記床仕上げ材本体を前記設置用床面に接着させることを特徴とする。
【００３０】
すなわち、請求項１〜５のいずれか１項に記載の床仕上げ材の複数を施工対象箇所の設置用床面に並べて接着させるのであるが、そのとき、先ず、床仕上げ材本体の裏面に両面テープを装着した状態で設置対象箇所の設置用床面に載置して位置決めする。尚、この位置決めをするときには両面テープの設置用床面側の粘着材部分には離型紙が未だ装着されているので、設置位置から位置ずれしていても容易に位置の修正を行うことができ、床仕上げ材本体を本来設置すべき設置位置に適正に位置決めすることができる。
【００３１】
次に、床仕上げ材本体が位置決めした位置からずれないように、その位置決めした状態を維持しながら、離型紙における突出部分を両面テープにおける長さ方向の他端部から離れる方向へ引張り作用させることにより離型紙を両面テープから剥して、床仕上げ材本体を設置用床面に接着させるのである。
【００３２】
そして、このような設置用床面に載置して位置決めする処理と離型紙を両面テープから剥して、床仕上げ材本体を設置用床面に接着させる処理とを、複数の床仕上げ材について夫々順次行うことで、複数の床仕上げ材を施工対象箇所の設置用床面に並べて接着させることができるのである。
【００３３】
従って、床仕上げ材本体を設置位置に適正に位置合わせした状態で両面テープによって床仕上げ材本体を設置用床面に接着させることができるので、設置用床面に貼り付ける作業を位置ずれの少ない状態で良好に行うことが可能となる床仕上げ材の施工方法を提供できるに至った。
【００３４】
請求項７記載の床仕上げ材の施工方法は、請求項１〜５のいずれか１項に記載の床仕上げ材の複数を施工対象箇所の設置用床面に並べて接着させる方法であって、前記複数の床仕上げ材を、前記設置用床面側の粘着材部分に前記離型紙が装着されている前記両面テープを装着した状態で、且つ、前記床仕上げ材本体における前記離型紙の突出部分を、隣接する床仕上げ材本体との隙間を通して前記床仕上げ材本体の表面側外方に突出させる状態で、前記施工対象箇所の設置用床面に並べて位置決めする位置決め処理を行い、その位置決め処理にて位置決めした状態を維持しながら、前記離型紙における前記突出部分を前記両面テープにおける長さ方向の他端部から離れる方向へ引張り作用させることにより前記離型紙を前記両面テープから剥して、前記床仕上げ材本体を前記設置用床面に接着させることを、複数の前記床仕上げ材の夫々について順次行って、前記複数の床仕上げ材を前記設置用床面に接着させる接着処理を行うようにしたことを特徴とする。
【００３５】
すなわち、請求項１〜５のいずれか１項に記載の床仕上げ材の複数を施工対象箇所の設置用床面に並べて接着させるのであるが、先ず、前記位置決め処理を行う。つまり、前記複数の床仕上げ材を、設置用床面側の粘着材部分に離型紙が装着されている両面テープを装着した状態で、且つ、床仕上げ材本体における離型紙の突出部分を、隣接する床仕上げ材本体との隙間を通して床仕上げ材本体の表面側外方に突出させる状態で、前記施工対象箇所の設置用床面に並べて位置決めするのである。尚、この位置決めを行うときには両面テープの設置用床面側の粘着材部分には離型紙が未だ装着されているので、設置位置から位置ずれしていても容易に位置の修正を行うことができ、床仕上げ材本体を本来設置すべき設置位置に適正に位置決めすることができる。
【００３６】
このようにして複数の床仕上げ材本体を並べて位置決めする位置決め処理を行った後に、次に、前記接着処理を行う。つまり、その位置決め処理にて位置決めした状態を維持しながら、離型紙における突出部分を引張り作用させることにより離型紙を両面テープから剥して、床仕上げ材本体を設置用床面に接着させるのであるが、この離型紙の引き剥がしと設置用床面への接着とを、複数の床仕上げ材の夫々について順次行うことによって複数の床仕上げ材を設置用床面に接着させるのである。
【００３７】
従って、複数の床仕上げ材本体を予め並べることで各床仕上げ材本体を夫々設置位置に適正に位置合わせした状態にして、両面テープによって床仕上げ材本体を設置用床面に接着させることができるので、設置用床面に貼り付ける作業を位置ずれの少ない状態で良好に行うことが可能となる床仕上げ材の施工方法を提供できるに至った。
【００３８】
【発明の実施の形態】
以下、本発明に係る床仕上げ材及び床仕上げ材の施工方法の実施形態について図面に基づいて説明する。
【００３９】
図１に示すように、建物の床下地材１の上面側に床暖房パネル２が装着されており、この床暖房パネル２の上部側に床仕上げ材３が装着される構成となっている。前記床暖房パネル２は、詳述はしないが、例えば、発泡樹脂材等からなる板状基材に温水などの熱媒体が通流する熱媒体通流管２ａが備えられて構成され、床下地材１の上部面に対して両面テープ等を用いて接着させる構成となっている。
【００４０】
次に前記床仕上げ材３の構成について説明する。この実施形態では、床仕上げ材３として、あいじゃくり形態で隣接する他の床仕上げと接合する形式の床仕上げ材３ａを例示する。
図２に示すように、この床仕上げ材３ａは、木質材にて矩形板状具体的には長方形状の板状に構成された、例えばフローリング等からなる床仕上げ材本体４と、この床仕上げ材本体４を、床暖房パネル２の上部面を設置用床面Ａとして接着させるための両面テープ５とを備えて構成されている。
そして、前記床仕上げ材本体４の周縁部には、あいじゃくり形態で隣接する他の床仕上げ材本体４と接合するための雌実部６及び雄実部７が形成されている。つまり、長方形状の外周縁部の四辺のうちの隣り合う１つの長辺と１つの短辺の２辺の側縁部には、隣接する他の床仕上げ材本体４に形成された雌実部６に対して上下方向に重複する状態で係合して床仕上げ材本体４同士を接合する、あいじゃくり形態で接合するための雄実部７を備えて構成されている。又、上記２辺を除く他の２辺の側縁部には、隣接する他の床仕上げ材本体４に形成された雄実部７に対して板厚方向に重複する状態で係合して床仕上げ材本体４同士を接合する、あいじゃくり形態で接合するための雌実部６を備えて構成されている。つまり、床暖房パネル２の上部側に複数の床仕上げ材本体４を並べて装着するときは、図３に示すように、隣り合う床仕上げ材本体４の雄実部７の上側に隣接する仕上げ材本体４の雌実部６を重ねる状態で並べていくことになる。
【００４１】
前記床仕上げ材本体４の裏面には、図２（ロ）に示すように、床仕上げ材本体４を設置用床面Ａ上に接着させるための両面テープ５が床仕上げ材本体４の長手方向に延びる状態で設けられ、その両面テープ５の長さが、床仕上げ材本体４の長手方向の幅とほぼ同じ長さに構成されている。ちなみに、両面テープ５は、床仕上げ材３の短辺方向に間隔を隔てて複数（図に示す例では３本）のものが並べて設けられている。
【００４２】
そして、前記各両面テープ５における設置用床面側の粘着材部分には夫々離型紙１２が装着されている。そして、この離型紙１２は、図４に示すように、前記両面テープ５の長さ方向の一端部にて下方側に折り返されて両面テープ５の長さ方向の他端部側に延出され、その下方側に折り返された状態において、設置用床面側の粘着材部分に装着される装着部分１２ａと、その装着部分１２ａに対して上下方向に重複する重複部分１２ｂと、その重複部分１２ｂから延出されて床仕上げ材本体４の外方に突出する突出部分１２ｃとを備えて構成されている。
【００４３】
尚、離型紙１２における前記装着部分１２ａとその装着部分１２ａに対して上下方向に重複する重複部分１２ｂとは、床仕上げ材３を設置用床面に載置した場合にはそれらが密着状態となるものであるが、以下、図７の（イ）、（ロ）、（ハ）、図９、図１０、図１２の（イ）、（ロ）、（ハ）、図１３、図１４、図１５の夫々において図面で示す場合においては、構成を理解し易くするために、前記装着部分１２ａと前記重複部分１２ｂとの間に、隙間を形成した状態として記載している。
【００４４】
又、図２に示すように、床仕上げ材本体４の長手方向の一端側であって、且つ、離型紙１２が折り返されて延出される両面テープ５の長さ方向の他端部側の箇所において形成されている雄実部７に各離型紙１２の突出部分１２ｃの夫々が上下方向に挿通するための３つの挿通孔１３が形成されている。しかも、前記離型紙１２は、その突出部分１２ｃが雄実部７に対応位置する状態で床仕上げ材本体４に配設され、前記突出部分１２ｃが、前記雄実部７に形成の挿通孔１３を床仕上げ材本体４の表面側に向けて挿通する形態で、且つ、床仕上げ材本体４の表面より上方に突出することができる長さに構成されている。
【００４５】
具体的に説明すると、離型紙１２は、その長さが両面テープ５の長さの２倍よりも長くなるように形成され、その一端部から、装着部分１２ａ、重複部分１２ｂ、突出部分１２ｃがその長さ方向に連続して備えられている。そして、装着部分１２ａの長さは、両面テープ５の長さと同じまたはほぼ同じ長さに構成され、重複部分１２ｂの長さも、両面テープ５の長さと同じまたはほぼ同じ長さに構成されている。そして、突出部分１２ｃは、挿通孔１３を挿通して床仕上げ材本体４の表面より上方に突出することができるような長さに構成されている。
【００４６】
次に、前記床仕上げ材３ａの複数を設置用床面Ａに並べて接着させる施工方法について説明する。
つまり、複数の床仕上げ材３ａを設置用床面Ａに並べて接着させる場合には、先ず、床仕上げ材本体４の裏面に両面テープ５を装着した状態で設置用床面Ａに載置して位置決めして、その位置決めした状態を維持しながら、離型紙１２における前記突出部分１２ｃを両面テープ５における長さ方向の他端部から離れる方向へ引張り作用させることにより離型紙１２を両面テープ５から剥して、床仕上げ材本体４を設置用床面Ａに接着させるのである。
【００４７】
以下、具体的な施工方法について説明を加える。
この実施形態では、図５に示すように、部屋の床における一部に床仕上げ材３ａが装着されない領域Ｂがある場合を示し、施工対象箇所である設置用床面Ａは床仕上げ材３ａが装着されない領域Ｂを除く他の領域に設定されている。そして、この場合には、床仕上げ材３ａが装着されない領域Ｂと設置用床面Ａとの間に境界を示す墨出し線Ｌが引かれている。
そして、最初に接着させる床仕上げ材３ａを、床仕上げ材本体４の裏面に前記離型紙１２が装着されている状態で、床仕上げ材本体４の長手方向の墨出し線Ｌ側の端縁が墨出し線Ｌに沿うように、且つ、部屋の壁側に対応する短辺における端縁を壁の面に沿うように位置決めして、設置用床面Ａに載置させて、所定の設置位置に合うように位置合わせする。そして、位置合わせした状態を維持しながら、床仕上げ材３ａから外方に突出している離型紙１２における突出部分１２ｃを引張ることにより、離型紙１２が両面テープ５から剥がれるので、両面テープ５の粘着材部分を設置用床面Ａの上面に接着させて、床仕上げ材３ａを設置用床面Ａ上に接着させるのである。
【００４８】
説明を加えると、床仕上げ材本体４を位置合わせした状態では、図６及び図７（イ）に示すように、床仕上げ材本体４における前記挿通孔１３を通して上方側に離型紙１２における突出部分１２ｃが突出することとなる。そして、その位置合わせ状態において、突出部分１２ｃを前記両面テープ５における長さ方向の他端部から離れる方向、具体的には、図７中の右側斜め上方へ引張り作用させることにより、図７（ロ）に示すように、両面テープ５の図中左側端部から離型紙１２が次第に剥がれていくことになり、最終的に、図７（ハ）に示すように、離型紙１２を両面テープ５から完全に剥すと、両面テープ５の粘着材部分が設置用床面Ａの上面に接着されることになる。
【００４９】
以上の如く、床仕上げ材３ａを位置決めされた位置に維持して、その床仕上げ材３ａの外方から突出した離型紙１２における突出部分１２ｃを引張り作用させるだけで、離型紙１２を両面テープ５から剥し、床仕上げ材３ａの裏面を設置用床面Ａの上面に接着させて、床仕上げ材３ａを設置用床面Ａ上に接着させることができる。
【００５０】
そして、このようにして１つの床仕上げ材３ａを設置用床面Ａ上に接着させることができるが、図８に示すように、複数の床仕上げ材３ａの夫々について上記したような手順で順次接着する処理を繰り返し行うことで、複数の床仕上げ材３ａを設置用床面Ａに並べて接着させることができる。
【００５１】
〔別実施形態〕
以下、別実施形態を列記する。
【００５２】
（１）上記実施形態では、前記床仕上げ材として、床仕上げ材本体の周縁部に、あいじゃくり形態で隣接する他の床仕上げ材本体と接合するための雌実部及び雄実部が形成されているものを示したが、前記床仕上げ材として次のように構成するものでもよい。
【００５３】
すなわち、この実施形態においては、床仕上げ材３として、図９の（イ）、（ロ）、（ハ）に示すように、前記床仕上げ材本体４の周縁部には、本実形態で隣接する他の床仕上げ材本体４と接合するための凸形の突起２０と凹形の溝２１とが形成される構成の床仕上げ材３ｂとなっている。そして、上記実施形態と同様に、床仕上げ材本体４には前記突出部分１２ｃを備えて構成される前記離型紙１２が装着されているが、前記凸形の突起２０に対応位置する状態で床仕上げ材本体４に配設され、前記突出部分１２ｃが、前記凸形の突起２０に形成の挿通孔２２を床仕上げ材本体４の表面側に向けて挿通する形態で、且つ、床仕上げ材本体４の表面より上方に突出することができる長さに構成されている。
【００５４】
前記離型紙１２の構成は第１実施形態と同じであるが、床仕上げ材本体４同士の接合のしかたが本実形態になっている点が異なっており、離型紙１２の突出部分１２ｃが凸形の突起２０に対応位置する状態で床仕上げ材本体４に配設され、その凸形の突起２０に離型紙１２の突出部分１２ｃを床仕上げ材本体４の表面側に向けて挿通するための挿通孔２２が形成される構成である。
【００５５】
この構成においても、床仕上げ材３ｂを設置用床面Ａ上に接着させる場合には、第１実施形態のときと同様にして、離型紙１２の突出部分１２ｃを前記両面テープ５における長さ方向の他端部から離れる方向へ引張り作用させることにより、離型紙１２を両面テープ５から剥がして床仕上げ材３ｂを設置用床面Ａ上に接着させることになる。
【００５６】
（２）前記床仕上げ材３として、次のように構成するものでもよい。
すなわち、この実施形態における床仕上げ材３ｃでは、図１０の（イ）、（ロ）、（ハ）に示すように、床仕上げ材本体４の周縁部が突合せ形態で隣接する他の床仕上げ材本体４と対向させるように平坦面状に形成され、前記離型紙１２が、前記突出部分１２ｃを前記仕上げ材本体４の周縁部に沿って前記床仕上げ材本体４の表面側に向けて折り曲げることができる形態で前記床仕上げ材本体４に配設される構成である。
【００５７】
つまり、この実施形態では、前記離型紙１２の構成は第１実施形態と同じであるが、この実施形態の床仕上げ材３ｃは、床仕上げ材本体４の接合のしかたが平坦面同士を突合せる形態になっている点が第１実施形態と異なっている。そして、図１０（イ）に示すように、前記突出部分１２ｃが、前記仕上げ材本体４の周縁部から外方側に突出するような長さに構成されている。
【００５８】
この構成においても、床仕上げ材３ｃを設置用床面Ａ上に接着させる場合には、第１実施形態のときと同様にして、離型紙１２の突出部分１２ｃを前記両面テープ５における長さ方向の他端部から離れる方向へ引張り作用させることにより、離型紙１２を両面テープ５から剥がして床仕上げ材３ｃを設置用床面Ａ上に接着させることになる。
【００５９】
（３）前記床仕上げ材として、前記あいじゃくり形態で隣接する他の床仕上げ材本体と接合する構成の仕上げ材３ａや前記本実形態で隣接する他の床仕上げ材本体と接合する構成の床仕上げ材３ｂを用いて、１個づつ設置用床面に載置して接着させる施工方法を実施する場合には、前記離型紙１２の突出部分１２ｃを、隣接する床仕上げ材本体４との隙間を通して床仕上げ材本体４の表面側外方に突出させる状態にさせる必要はなく、前記離型紙１２の突出部分１２ｃを床仕上げ材本体４よりも外方側に突出させて設置用床面Ａ上にそのまま載置させるようにしてもよい。
つまり、前記離型紙１２の突出部分１２ｃを前記挿通孔１３や前記挿通孔２２を通して上方側に突出させずに、装着部分１２ｂからそのまま設置用床面Ａ上に沿って延びる状態で設置用床面Ａ上に載置させるようにしてもよい。
【００６０】
（４）前記床仕上げ材の施工方法として、上記実施形態のような方法に代えて、次のような施工方法としてもよい。
つまり、前記複数の床仕上げ材３を、前記設置用床面Ａ側の粘着材部分に前記離型紙１２が装着されている前記両面テープ５を装着した状態で、且つ、床仕上げ材本体４における離型紙１２の突出部分１２ｃを、隣接する床仕上げ材本体４との隙間を通して床仕上げ材本体４の表面側外方に突出させる状態で、前記施工対象箇所の設置用床面Ａに並べて位置決めする位置決め処理を行い、その位置決め処理にて位置決めした状態を維持しながら、離型紙１２における突出部分１２ｃを両面テープ５における長さ方向の他端部から離れる方向へ引張り作用させることにより離型紙１２を両面テープ５から剥して、床仕上げ材本体４を設置用床面Ａに接着させることを、複数の前記床仕上げ材３の夫々について順次行って、前記複数の床仕上げ材３を前記設置用床面Ａに接着させる接着処理を行う施工方法である。
【００６１】
説明を加えると、この実施形態においては、例えば部屋等の床の全域を設置用床面Ａとしており、床の所定個数の床仕上げ材３を並べて設置すると、全体として互いの床仕上げ材３同士の間に隙間が生じないように敷き詰めることができる構成となっている（図１１参照）。尚、床仕上げ材３として、あいじゃくり形態で隣接する他の床仕上げと接合する形式の床仕上げ材３ａを用いる構成としている。
【００６２】
先ず、所定個数の床仕上げ材３ａの夫々について設置用床面Ａ側の粘着材部分に離型紙１２が装着されている両面テープ５を装着した状態で、例えば、図１１に示すように設置用床面Ａに並べて位置決めを行う。つまり、所定個数の床仕上げ材３ａを床仕上げ材３ａ同士の間に隙間が生じないように設置用床面Ａに敷き詰めるのである。そのとき、図１２（イ）、（ロ）に示すように、前記離型紙１２の突出部分１２ｃを、隣接する床仕上げ材本体４との隙間を通して床仕上げ材本体４の表面側外方に突出させる状態にしておく。
【００６３】
次に、上記実施形態の場合と同様にして、図１２（ハ）に示すように、前記位置決め処理にて位置決めした状態を維持しながら、離型紙１２における前記突出部分１２ｃを両面テープ５における長さ方向の他端部から離れる方向へ引張り作用させることにより離型紙１２を両面テープ５から剥して、床仕上げ材本体４を設置用床面Ａに接着させることになる。しかも、このような処理を複数の床仕上げ材３ａの夫々について順次繰り返し行って複数の床仕上げ材３ａを前記設置用床面Ａに接着させるのである。
【００６４】
そして、この施工方法においては、上記（１）の別実施形態で説明した床仕上げ材３ｂ、又は、上記（２）の別実施形態で説明した床仕上げ材３ｃを用いることもできる。
つまり、上記（１）の別実施形態で説明したように、床仕上げ材本体４の周縁部に、本実形態で隣接する他の床仕上げ材本体４と接合するための凸形の突起２０と凹形の溝２１とが形成される構成の床仕上げ材３ｂであれば、図１３に示すように、前記凸形の突起２０に形成した挿通孔２２及び隣接する床仕上げ材本体４との隙間を通して、離型紙１２の突出部分１２ｃを床仕上げ材本体４の表面側外方に突出させる状態にしておき、上記実施形態と同様にしてこの離型紙１２の突出部分１２ｃを長さ方向の他端部から離れる方向へ引張り作用させることにより離型紙１２を両面テープ５から剥すことになる。
【００６５】
上記（２）の別実施形態で説明したように、床仕上げ材本体４の周縁部が、突合せ形態で隣接する他の床仕上げ材本体４と対向させるように平坦面状に形成する構成の床仕上げ材３ｃであれば、図１４に示すように、隣接する床仕上げ材本体４同士の平坦な周縁部同士の隙間を通して、離型紙１２の突出部分１２ｃを床仕上げ材本体４の表面側外方に突出させる状態にしておく。つまり、既に載置されている床仕上げ材本体４の横に隣接する床仕上げ材本体４を載置するときに、載置されている床仕上げ材本体４における離型紙１２の突出部分１２ｃを手で持ち上げて、隣接する床仕上げ材本体４との間を通して上方に突出させるのである。そして、上記実施形態と同様にしてこの離型紙１２の突出部分１２ｃを長さ方向の他端部から離れる方向へ引張り作用させることにより離型紙１２を両面テープ５から剥すことになる。
【００６６】
（５）前記床仕上げ材の施工方法として、上述したような方法に代えて、次のような施工方法としてもよい。
つまり、床仕上げ材３を設置用床面Ａの全域に敷き詰めるのではなく、設置用床面Ａ側の粘着材部分に離型紙１２が装着されている両面テープ５を装着した状態で、設置用床面Ａの一端部から他端部までの１列又は複数列に相当する部分にだけ床仕上げ材３を敷き詰めて位置決めして、その後、各床仕上げ材３について離型紙１２を引き剥がしていく方法としてもよい。
【００６７】
（６）上記実施形態では、１つの床仕上げ材に床仕上げ材本体の長手方向に沿って延びる状態で短辺方向に並べて３本の両面テープを備える構成としたが、このような構成に代え、２本又は４本以上の両面テープを並べて備える構成としたり、あるいは、１本の両面テープを備える構成としてもよい。
【００６８】
又、上記実施形態では、離型紙として、その装着部分が両面テープの長さと略同じ長さとなるように構成したが、その装着部分が両面テープの長さよりも短いものとしてもよい。例えば、上記（２）の別実施形態で説明した床仕上げ材３ｃを用いて、図１５に示すように、１つの両面テープ５に対して２本の離型紙１２Ａを用いて、その各装着部分１２ａが両面テープ５の長さの半分になるようにして、各離型紙１２Ａの突出部分１２ｃが両面テープ５の長さ方向の両端側で夫々外方に突出する構成にすると、設置用床面に載置した状態で離型紙１２Ａを引き剥がすことができる。尚、床仕上げ材としては、上記（２）の別実施形態で説明した床仕上げ材３ｃに限らず、あいじゃくり形態で隣接する他の床仕上げと接合する形式の床仕上げ材３ａや上記（１）の別実施形態で説明した床仕上げ材３ｂを用いることができる。
【００６９】
（７）上記実施形態では、床仕上げ材本体として、木質材にて構成されるフローリングを例示したが、フローリングに限らずコルク材等の他の各種の材質からなる床仕上げ材本体を用いてもよい。
【００７０】
（８）上記実施形態では、前記設置用床面として床暖房パネルの上部面に床仕上げ材を接着させる構成を例示したが、このような構成に限らず、例えば、床下地材にそのまま床仕上げ材を接着させる構成としてもよく、又、床仕上げ材が単なる木質材やコルク材等から構成されるものに限らず、その内部に暖房用の熱媒が通流する熱媒通流管を備える構成として、床仕上げ材が床暖房パネルを兼用する構成のものを用いてもよい。
【図面の簡単な説明】
【図１】床仕上げ材の設置状態を示す断面図
【図２】床仕上げ材の構成を示す図
【図３】床仕上げ材の接合状態を示す斜視図
【図４】離型紙を示す斜視図
【図５】施工状態を示す図
【図６】床仕上げ材の斜視図
【図７】離型紙の引き剥し状態を示す作用図
【図８】施工状態を示す図
【図９】別実施形態の床仕上げ材の構成を示す図
【図１０】別実施形態の床仕上げ材の構成を示す図
【図１１】別実施形態の施工方法を示す図
【図１２】別実施形態の施工方法における離型紙の引き剥し状態を示す作用図
【図１３】別実施形態の施工方法における床仕上げ材の断面図
【図１４】別実施形態の施工方法における床仕上げ材の断面図
【図１５】別実施形態の床仕上げ材の構成を示す図
【図１６】従来の床仕上げ材の構成を示す図
【図１７】従来の床仕上げ材が位置ずれした状態を示す図
【符号の説明】
４                床仕上げ材本体
５                両面テ−プ
６                雌実部
７                雄実部
１２、１２Ａ      離型紙
１２ａ            装着部分
１２ｂ            重複部分
１２ｃ            突出部分
１３              挿通孔
２０              凸形の突起
２１              凹形の溝
２２              挿通孔
Ａ                設置用床面
【図１】
2004324339.tif 000003
【図２】
2004324339.tif 000004
【図３】
2004324339.tif 000005
【図４】
2004324339.tif 000006
【図５】
2004324339.tif 000007
【図６】
2004324339.tif 000008
【図７】
2004324339.tif 000009
【図８】
2004324339.tif 000010
【図９】
2004324339.tif 000011
【図１０】
2004324339.tif 000012
【図１１】
2004324339.tif 000013
【図１２】
2004324339.tif 000014
【図１３】
2004324339.tif 000015
【図１４】
2004324339.tif 000016
【図１５】
2004324339.tif 000017
【図１６】
2004324339.tif 000018
【図１７】
2004324339.tif 000019